(57)【要約】【課題】インレット５のＩＣチップ８、ＩＣチップ８とアンテナ９との間の接続部１０を保護するとともに、ＩＣチップ８、ＩＣチップ８とアンテナ９との間の接続部１０を保護するための保護板２２によるＲＦＩＤリストバンド自体の損傷を防止可能なＲＦＩＤリストバンドを提供する。【解決手段】保護板２２にメッシュ布２３をあてがうことに着目したもので、バンド基材２１は、第１のバンド層２５、第２のバンド層２６および第３のバンド層２７を積層することによりこれを構成し、第２のバンド層２６に形成した空気層２８にインレット５のＩＣチップ８を臨ませるとともに、ＩＣチップ８を保護する保護板２２と、保護板２２を被覆するメッシュ布２３と、を設けている。【選択図】図２
2017010140.tif 000002
【特許請求の範囲】
【請求項１】
バンド基材と、
このバンド基材に取り付けるとともにＩＣチップおよびアンテナを有するインレットと、を有し、手首や足首などの被巻付け部に巻き付け可能なＲＦＩＤリストバンドであって、
前記バンド基材は、第１のバンド層、第２のバンド層および第３のバンド層を積層することによりこれを構成し、
この第２のバンド層に形成した空気層に前記インレットの前記ＩＣチップを臨ませるとともに、
このＩＣチップを保護する保護板と、
この保護板を被覆するメッシュ布と、を設けていることを特徴とするＲＦＩＤリストバンド。
【請求項２】
前記保護板は、前記空気層に臨んで前記ＩＣチップに対向していることを特徴とする請求項１記載のＲＦＩＤリストバンド。
【請求項３】
前記メッシュ布は、前記空気層とは反対側の前記保護板の面に位置していることを特徴とする請求項１または２記載のＲＦＩＤリストバンド。
【請求項４】
前記メッシュ布は、前記空気層に臨む前記保護板の面に位置していることを特徴とする請求項１または２記載のＲＦＩＤリストバンド。
【請求項５】
前記メッシュ布は、前記第１のバンド層、前記第２のバンド層あるいは前記第３のバンド層に対向する前記保護板の面を被覆していることを特徴とする請求項１ないし４のいずれかに記載のＲＦＩＤリストバンド。
【請求項６】
前記インレットの前記ＩＣチップと前記アンテナとの接続部が前記空気層に臨んでいることを特徴とする請求項１ないし５のいずれかに記載のＲＦＩＤリストバンド。
【請求項７】
前記第１のバンド層、前記第２のバンド層および前記第３のバンド層をその積層方向に加熱加圧することにより一体化し、前記バンド基材を構成していることを特徴とする請求項１ないし６のいずれかに記載のＲＦＩＤリストバンド。
【請求項８】
前記保護板は、前記第１のバンド層、前記第２のバンド層あるいは前記第３のバンド層のいずれかに形成した保護板用凹部にこれを収容していることを特徴とする請求項１ないし７のいずれかに記載のＲＦＩＤリストバンド。
【発明の詳細な説明】
【技術分野】
【０００１】
本発明はＲＦＩＤ（Ｒａｄｉｏ  Ｆｒｅｑｕｅｎｃｙ  Ｉｄｅｎｔｉｆｉｃａｔｉｏｎ；無線自動認識）リストバンドにかかるもので、とくに遊技場その他の施設、旅行分野や医療分野などにおいて、入場者、ツアー参加者あるいは患者の手首や足首などに巻き付けるようにして取り付けることにより、各人を特定することができるようにしたＲＦＩＤリストバンドに関するものである。
【背景技術】
【０００２】
従来から、遊技場その他の施設における入場者、さらにはツアー参加者を確認するために用いられるＲＦＩＤリストバンドは、本人の氏名、住所、生年月日や性別その他必要な情報（特定情報）をその表面に記載ないし印字により表示するとともに、内部に設けたＲＦＩＤインレット（以下、「インレット」という）により、この特定情報に関するデータ通信を可能とした上で、手首や足首など（被巻付け部）に巻き付けて、本人を特定可能としている。
また、医療用のＲＦＩＤリストバンドも同様に、入院患者の氏名その他必要な上記特定情報に関するデータ通信を可能とした上で、手首や足首などに巻き付けることにより本人を特定可能とし、検査や治療時に本人の照合を可能としている。
【０００３】
図４にもとづき、従来のＲＦＩＤリストバンド１について概説する。
図４は、ＲＦＩＤリストバンド１の各層を分離して示す概略断面図であって、ＲＦＩＤリストバンド１は、芯基材２と、芯基材２に接着積層する表面側基材３および裏面側基材４と、インレット５と、を有する。
表面側基材３には、その印字領域６に入場者、ツアー参加者あるいは患者などに関する氏名その他の文字記号やバーコードなどによる特定情報を表示可能としている。
【０００４】
インレット５は、図５にその概略構成を平面的に示すように、フィルム７と、ＩＣチップ８と、アンテナ９と、ＩＣチップ８およびアンテナ９の接続部１０（図５において矢印で示した要部拡大側面図を参照）と、を有し、無線によるデータ通信が可能であって、粘着剤１１（図４）により芯基材２にこれを貼り付けている。
インレット５は、たとえばＵＨＦ帯（３００ＭＨｚ〜３ＧＨｚ（好ましくは８６０〜９６０ＭＨｚ、さらに具体的には、４３３ＭＨｚ、９００ＭＨｚ、９１５〜９２８ＭＨｚ、９５０〜９５８ＭＨｚ）やマイクロ波（１〜３０ＧＨｚ、具体的には２．４５ＧＨｚ）、ＨＦ帯（３ＭＨｚ〜３０ＭＨｚ（好ましくは１３．５６ＭＨｚ））あるいは１３５ｋＨｚ以下など、その他、所定の周波数帯の電波および電磁的作用などにより、アンテナ９を介してＩＣチップ８に必要なデータの無線による読み取りおよび書き込み（データ通信）を行う。
ただし、それぞれの使用電波に応じてＩＣチップ８およびアンテナ９の具体的構成を適正なものとしている。
【０００５】
芯基材２、表面側基材３および裏面側基材４の左右両端部側には、セット孔１２および調節孔１３をそれぞれ任意の数だけ形成し、入場者、ツアー参加者あるいは患者の手首や足首などの被巻付け部に巻き掛けるようにＲＦＩＤリストバンド１をリング状に曲げた状態で、互いに位置を合わせた状態のセット孔１２および調節孔１３に固定用クリップ（図示せず）を取り付け固定することにより、被巻付け部にＲＦＩＤリストバンド１を巻き付け可能である。
【０００６】
上述のようなＲＦＩＤリストバンド１は、芯基材２、表面側基材３および裏面側基材４が伸縮性を有する軟質ゴムないし軟質樹脂で構成されている場合には、手首や足首などの被巻付け部へのＲＦＩＤリストバンド１の装着使用にともなう屈曲や伸縮によって、アンテナ９が破損したり、接続部１０が切断するという問題がある。
【０００７】
アンテナ９や接続部１０を保護するために、インレット５をエポキシ樹脂その他の硬質樹脂により封止し一体化した上でＲＦＩＤリストバンド本体に挿入して構成したものは、耐久性に優れる一方、インレット５および硬質樹脂部分が硬くて折れ曲がらずに装着感がよくない。さらにＲＦＩＤリストバンドの全体表面から突出してしまうという問題もある。
【０００８】
インレット５のＩＣチップ８、アンテナ９、さらにＩＣチップ８とアンテナ９との間の接続部１０を保護するために、エポキシ樹脂シートその他の硬質樹脂シートを用いてインレット５のみを保護することも考えられる。
しかしながら、これらの硬質樹脂シートが接触する芯基材２、表面側基材３あるいは裏面側基材４が、ＲＦＩＤリストバンド１の装着使用にともなう弾性変形により硬質樹脂シートの縁に擦られて損傷してしまうという問題がある。
【先行技術文献】
【特許文献】
【０００９】
【特許文献１】特開２０１４−２１６４４号公報
【発明の概要】
【発明が解決しようとする課題】
【００１０】
本発明は以上のような諸問題にかんがみなされたもので、インレットを保護することができるようにしたＲＦＩＤリストバンドを提供することを課題とする。
【００１１】
また本発明は、インレットのＩＣチップ、ＩＣチップとアンテナとの間の接続部を保護することができるようにしたＲＦＩＤリストバンドを提供することを課題とする。
【００１２】
また本発明は、インレットのＩＣチップ、ＩＣチップとアンテナとの間の接続部を保護するための保護板によるＲＦＩＤリストバンド自体の損傷を防止可能なＲＦＩＤリストバンドを提供することを課題とする。
【課題を解決するための手段】
【００１３】
すなわち本発明は、保護板にメッシュ布をあてがうことに着目したもので、バンド基材と、このバンド基材に取り付けるとともにＩＣチップおよびアンテナを有するインレットと、を有し、手首や足首などの被巻付け部に巻き付け可能なＲＦＩＤリストバンドであって、上記バンド基材は、第１のバンド層、第２のバンド層および第３のバンド層を積層することによりこれを構成し、この第２のバンド層に形成した空気層に上記インレットの上記ＩＣチップを臨ませるとともに、このＩＣチップを保護する保護板と、この保護板を被覆するメッシュ布と、を設けていることを特徴とするＲＦＩＤリストバンドである。
上記保護板は、上記空気層に臨んで上記ＩＣチップに対向していることができる。
上記メッシュ布は、上記空気層とは反対側の上記保護板の面に位置していることができる。
上記メッシュ布は、上記空気層に臨む上記保護板の面に位置していることができる。
上記メッシュ布は、上記第１のバンド層、上記第２のバンド層あるいは上記第３のバンド層に対向する上記保護板の面を被覆していることができる。
上記インレットの上記ＩＣチップと上記アンテナとの接続部が上記空気層に臨んでいることができる。
上記第１のバンド層、上記第２のバンド層および上記第３のバンド層をその積層方向に加熱加圧することにより一体化し、上記バンド基材を構成していることができる。
上記保護板は、上記第１のバンド層、上記第２のバンド層あるいは上記第３のバンド層のいずれかに形成した保護板用凹部にこれを収容していることができる。
【発明の効果】
【００１４】
本発明によるＲＦＩＤリストバンドにおいては、ＩＣチップなどを保護可能な保護板をメッシュ布により被覆するようにしているので、バンド基材の第１のバンド層、第２のバンド層および第３のバンド層が保護板により損傷することを防止可能である。
【図面の簡単な説明】
【００１５】
【図１】本発明の第１の実施例によるＲＦＩＤリストバンド２０の平面図である。
【図２】同、図１のＩＩ−ＩＩ線要部拡大断面図である。
【図３】本発明の第２の実施例によるＲＦＩＤリストバンド３０の、図２と同様の要部拡大断面図である。
【図４】従来のＲＦＩＤリストバンド１の各層を分離して示す概略断面図である。
【図５】同、インレット５の概略構成を平面的に示す平面図である。
【発明を実施するための形態】
【００１６】
本発明は、ＩＣチップを保護板により保護するとともに、この保護板を被覆するメッシュ布を設けたので、ＩＣチップの破損を回避しつつ、バンド基材自体の損傷をも防止することが可能なＲＦＩＤリストバンドを実現した。
【実施例】
【００１７】
つぎに本発明の第１の実施例によるＲＦＩＤリストバンド２０を図１および図２にもとづき説明する。ただし、図４および図５と同様の部分には同一符号を付し、その詳述はこれを省略する。
図１は、ＲＦＩＤリストバンド２０の平面図、図２は、図１のＩＩ−ＩＩ線要部拡大断面図である。
とくに図２に示すように、ＲＦＩＤリストバンド２０は、バンド基材２１と、このバンド基材２１に取り付けるとともに前記フィルム７上に前記ＩＣチップ８および前記アンテナ９を有する前記インレット５と、このＩＣチップ８を保護する保護板２２と、この保護板２２を被覆するメッシュ布２３と、インレット５を外部から隠蔽可能な表示片２４と、を有する。
【００１８】
バンド基材２１は、第１のバンド層２５、第２のバンド層２６および第３のバンド層２７を積層することによりこれを構成している。
第１のバンド層２５、第２のバンド層２６および第３のバンド層２７は、ＲＦＩＤリストバンド２０として必要な柔軟性および剛性を有する任意の材料、たとえばポリ塩化ビニールその他の材料からこれらを構成することができる。
第１のバンド層２５、第２のバンド層２６および第３のバンド層２７それぞれの厚さを、５０〜１０００μｍとし、バンド基材２１全体の厚さを、１５０〜３０００μｍとすることができる。
【００１９】
第１のバンド層２５、第２のバンド層２６および第３のバンド層２７をその積層方向に加熱加圧することにより一体化し、バンド基材２１を構成するとともに、その内方部にインレット５、保護板２２および表示片２４を配置積層している。
【００２０】
第２のバンド層２６には、貫通孔を形成することによりその一部に空気層２８を形成している。
この空気層２８は、インレット５のＩＣチップ８およびアンテナ９の一部を収容可能であって、かつ保護板２２によりこれを閉鎖して密閉可能である。
空気層２８にインレット５のＩＣチップ８、およびＩＣチップ８とアンテナ９との間の前記接続部１０を臨ませているとともに、保護板２２は、空気層２８に臨んでＩＣチップ８に対向している。
【００２１】
保護板２２は、たとえば円形平板状であって、ガラス繊維含有のエポキシ樹脂材など剛性の高い材料によりこれを構成している。
【００２２】
メッシュ布２３は、保護板２２を十分に被覆可能な大きさであって、第２のバンド層２６と第３のバンド層２７との間の境界面、すなわち空気層２８とは反対側の保護板２２の面に位置している。
メッシュ布２３の材料としては、合成樹脂などによる柔軟性ないし弾力性があって、保護板２２と第３のバンド層２７との間の境界面のクッション材として機能する織布あるいは不織布が好ましい。そのほか、ガラス繊維による織布も用いることができ、このような構成の場合には、上記境界面自体を補強可能である。
【００２３】
表示片２４は、第１のバンド層２５と第２のバンド層２６との間の境界面にこれを位置させ、ラベル基材その他により必要な情報を表示するとともに、インレット５の存在を外部から隠蔽しておくことができる。
【００２４】
なお、前記セット孔１２および前記調節孔１３（図４を参照）および前記固定用クリップ（図示せず）の代わりに、バンド基材２１に設ける凹部および凸部による係脱機構、あるいはピンと取付け孔との係脱機構など任意の取付け機構（いずれも図示せず）を採用可能である。
【００２５】
こうした構成のＲＦＩＤリストバンド２０においては、インレット５のＩＣチップ８およびその接続部１０が空気層２８に位置し、第１のバンド層２５および第２のバンド層２６の境界面に固着していないため、ＲＦＩＤリストバンド２０の使用にともなうその伸縮による応力の影響を受けにくく、ＩＣチップ８や接続部１０の破損を防止することができる。
さらに、空気層２８の一面側に剛性が高く折れ曲がりにくい保護板２２を配置しているので、ＲＦＩＤリストバンド２０の折れ曲がりによる破損を回避可能である。外力を受けたり、衝撃を受けた場合でも破損が回避される。
【００２６】
また、保護板２２が第３のバンド層２７と接触する領域にメッシュ布２３が位置しているため、メッシュ布２３のクッション機能により硬質の保護板２２の縁による第３のバンド層２７の破損を防止することができる。
【００２７】
かくして、従来のようにインレット５を硬質樹脂で封止する代わりに、ＲＦＩＤリストバンド２０におけるインレット５の装着部分に伸縮性を持たせることができ、ＩＣチップ８および接続部１０やＲＦＩＤリストバンド２０の破損を防止するとともに折れ曲がりにくい構造とすることができる。
【００２８】
なお本発明においては、図２に仮想線で示すように、メッシュ布２３を空気層２８に臨む保護板２２の面、具体的には、保護板２２と第２のバンド層２６との間の境界面、および第２のバンド層２６と第３のバンド層２７との間の境界面に位置させることができる。図示は省略するが、保護版２２全体を被覆するようにメッシュ布２３を配置することもできる。
こうした構成を採用すれば、上述と同様に、メッシュ布２３が保護板２２を被覆してクッション作用を及ぼすことが可能であり、第２のバンド層２６が保護板２２の縁によって破損されることを防止可能である。
【００２９】
本発明における保護板２２は、インレット５の配置境界面に応じて、第１のバンド層２５、第２のバンド層２６および第３のバンド層２７のいずれに対向してもよいが、第１のバンド層２５、第２のバンド層２６あるいは第３のバンド層２７のいずれかに形成した凹部（保護板用凹部３９、図３）にこれを収容することもできる。
【００３０】
図３は、本発明の第２の実施例によるＲＦＩＤリストバンド３０の、図２と同様の要部拡大断面図である。
ＲＦＩＤリストバンド３０においては、既述のＲＦＩＤリストバンド２０におけるバンド基材２１に相当するバンド基材３１を、第１のバンド層３２と、前記第２のバンド層２６と、第３のバンド層３３と、から構成する。
第１のバンド層３２は、前記第１のバンド層２５（図２）に相当し、第１のバンド外側層３４および第１のバンド内側層３５を積層した構造を有する。
第３のバンド層３３は、前記第３のバンド層２７（図２）に相当し、第３のバンド外側層３６および第３のバンド内側層３７を積層した構造を有する。
【００３１】
ＲＦＩＤリストバンド３０におけるインレット５、保護板２２およびメッシュ布２３の相対位置関係は、既述のＲＦＩＤリストバンド２０（図２）と同様であるが、ＲＦＩＤリストバンド３０においては、第１のバンド内側層３５に形成した表示片用凹部３８に表示片２４を収容するとともに、第３のバンド内側層３７に形成した保護板用凹部３９に保護板２２を収容している。
【００３２】
なお本発明におけるメッシュ布２３は、空気層２８に臨む保護板２２の面に位置していることもできる。図示の例では、保護板２２と第２のバンド層２６との間の境界面にメッシュ布２３を配置することができる。
さらに、メッシュ布２３は、第１のバンド層３２、第２のバンド層２６あるいは第３のバンド層３３に対向する保護板２２の面を被覆することもできる。図示の例では、保護板２２と第２のバンド層２６との間の上記境界面はもちろん、保護板２２が保護板用凹部３９内で接触する第３のバンド層３３の第３のバンド内側層３７との間の境界面にメッシュ布２３を配置することができる。この配置構成では、メッシュ布２３を袋状として保護板２２を収容することもできる。
【００３３】
こうした構成のＲＦＩＤリストバンド３０においても、既述のＲＦＩＤリストバンド２０と同様に、インレット５を保護可能であるとともに、バンド基材３１における各層（第１のバンド層３２、第２のバンド層２６、第３のバンド層３３）の加熱加圧による積層工程で、表示片２４および保護板２２の積層にともなう応力が発生しにくく各層間での歪みの発生を極力小さくすることができる。
【００３４】
しかも、剛性の高い保護板２２が第３のバンド内側層３７の保護板用凹部３９内に収まっており、メッシュ布２３による第３のバンド外側層３６の保護とともに、第３のバンド内側層３７部分の破損防止も期待することができる。
もちろん上述のように、保護板２２と第２のバンド層２６との間の境界面にメッシュ布２３を配置する構成、あるいは保護板２２が保護板用凹部３９内で接触する第３のバンド層３３の第３のバンド内側層３７との間の境界面にメッシュ布２３を配置する構成を採用すれば、それぞれの境界面における各層（第２のバンド層２６、第３のバンド層３３）の破損を防止可能である。
【符号の説明】
【００３５】
１  ＲＦＩＤリストバンド（従来、図４）
２  芯基材
３  表面側基材
４  裏面側基材
５  インレット（ＲＦＩＤインレット、図５）
６  印字領域
７  フィルム
８  ＩＣチップ
９  アンテナ
１０  接続部（図５）
１１  粘着剤
１２  セット孔
１３  調節孔
２０  ＲＦＩＤリストバンド（第１の実施例、図１、図２）
２１  バンド基材
２２  保護板
２３  メッシュ布
２４  表示片
２５  第１のバンド層
２６  第２のバンド層
２７  第３のバンド層
２８  空気層
３０  ＲＦＩＤリストバンド（第２の実施例、図３）
３１  バンド基材
３２  第１のバンド層
３３  第３のバンド層
３４  第１のバンド層３２の第１のバンド外側層
３５  第１のバンド層３２の第１のバンド内側層
３６  第３のバンド層３３の第３のバンド外側層
３７  第３のバンド層３３の第３のバンド内側層
３８  第１のバンド内側層３５に形成した表示片用凹部
３９  第３のバンド内側層３７に形成した保護板用凹部
【図１】
2017010140.tif 000003
【図２】
2017010140.tif 000004
【図３】
2017010140.tif 000005
【図４】
2017010140.tif 000006
【図５】
2017010140.tif 000007